(57)【要約】【課題】患者の手指等の生体組織に確実に巻き付けられる装着テープを提供する。【解決手段】装着テープ２は、光を出射するように構成された発光部３０と、発光部３０から出射された光を受光するように構成された受光部４０とを搭載するように構成されると共に、患者の手指に巻き付けられて装着される。装着テープ２のＹ軸方向における所定位置Ｙ１から先端位置Ｙ２に向けて装着テープ２の幅寸法Ｗが徐々に小さくなる。【選択図】図１
2018102699.tif 000002
【特許請求の範囲】
【請求項１】
光を出射するように構成された発光部と、前記発光部から出射された光を受光するように構成された受光部とを搭載するように構成されると共に、生体組織に巻き付けられて装着されるように構成された装着テープであって、
前記装着テープの長手方向における所定位置から先端位置に向けて前記装着テープの幅寸法が徐々に小さくなる、装着テープ。
【請求項２】
前記装着テープは、
第一面と、
前記第一面とは反対側に位置すると共に、前記生体組織に接触する第二面と、
を有し、
前記装着テープの長手方向に直交する幅方向における中心位置及びその近傍に前記装着テープの先端を誘導するように構成された誘導マークが、前記第一面上に設けられている、請求項１に記載の装着テープ。
【請求項３】
前記装着テープは、前記生体組織と接触する粘着層と、前記装着テープが前記生体組織に巻き付けられた状態で前記粘着層に接触する平滑面を有する滑り止め層とを備え、
前記粘着層の表面は、前記装着テープの第二面の一部を構成すると共に、前記滑り止め層の平滑面は、前記装着テープの第一面の一部を構成する、請求項１又は２に記載の装着テープ。
【請求項４】
前記装着テープは、スポンジ層をさらに備え、
前記粘着層は、前記スポンジ層上に形成されている、請求項３に記載の装着テープ。
【請求項５】
前記粘着層は、前記スポンジ層の表面を露出させる複数の露出部を有する、請求項４に記載の装着テープ。
【請求項６】
請求項１から５のうちいずれか一項に記載の装着テープと、
光を出射するように構成された発光部と、
前記発光部から出射された光を受光するように構成された受光部と、
を備えた、パルスフォトメトリ用プローブ。
【発明の詳細な説明】
【技術分野】
【０００１】
本開示は、装着テープ及びパルスフォトメトリ用プローブに関する。
【背景技術】
【０００２】
患者の生体組織（例えば、手指や手足の甲等）に巻き付けることで生体組織中の血管の生体情報（例えば、動脈血酸素飽和度（ＳｐＯ２）等）を測定可能なパルスオキシメータプローブ（パルスフォトメトリ用プローブの一種）が知られている。例えば、特許文献１は、カバー層と、カバー層の一面側に配置された発光部及び受光部と、カバー層の他面側に設けられたゲル支持層と、当該ゲル支持層上に設けられると共に、患者の手指等の生体組織に接触するゲル層とを備えたセンサを開示している。特許文献１に開示されたセンサでは、平面視におけるセンサの形状は矩形となっている。つまり、センサの長手方向に直交する幅方向の寸法（幅寸法）は一定となっている。
【先行技術文献】
【特許文献】
【０００３】
【特許文献１】米国特許第５８３０１３６号明細書
【発明の概要】
【発明が解決しようとする課題】
【０００４】
ところで、当該センサが患者の手指に巻きつけられた場合、センサの長手方向においてセンサの幅寸法が一定であるため、センサの端面（具体的には、カバー層とゲル支持層とゲル層の端面）が幅方向の所定位置において揃ってしまう。このため、患者の手足等の所定の物体がセンサの端面と接触した場合、所定の物体と接触するセンサの端面の接触面積が大きいため、センサは手指等に対して大きく移動してしまう。最悪の場合、センサは手指等から脱落してしまう虞がある。
【０００５】
本開示は、患者の手指等の生体組織に確実に巻き付けられる装着テープを提供する。また、本開示は、当該装着テープを備えたパルスフォトメトリ用プローブを提供する。
【課題を解決するための手段】
【０００６】
本開示の一態様に係る装着テープは、光を出射するように構成された発光部と、前記発光部から出射された光を受光するように構成された受光部とを搭載するように構成されると共に、生体組織に巻き付けられて装着されるように構成される。前記装着テープの長手方向における所定位置から先端位置に向けて前記装着テープの幅寸法が徐々に小さくなる。
【発明の効果】
【０００７】
本開示によれば、患者の手指等の生体組織に確実に巻き付けられる装着テープを提供することができる。
【図面の簡単な説明】
【０００８】
【図１】本発明の実施形態（以下、単に本実施形態という。）に係る装着テープの＋Ｚ位置から見た平面図である。
【図２】本実施形態に係る装着テープの−Ｚ位置から見た平面図である。
【図３】図１に示す装着テープのＡ−Ａ断面図である。
【図４】患者の手指に巻き付けられた装着テープを示す図である。
【図５】本実施形態に係る変形例に係る装着テープの−Ｚ位置から見た平面図である。
【発明を実施するための形態】
【０００９】
以下、本実施形態について図面を参照しながら説明する。尚、本実施形態の説明において既に説明された部材と同一の参照番号を有する部材については、説明の便宜上、その説明は省略する。また、本図面に示された各部材の寸法は、説明の便宜上、実際の各部材の寸法とは異なる場合がある。
【００１０】
また、本実施形態の説明では、説明の便宜上、Ｘ軸方向、Ｙ軸方向、Ｚ軸方向について適宜言及する。これらの方向は、図１に示す装着テープ２について設定された相対的な方向である。ここで、Ｘ軸方向は、＋Ｘ方向（矢印の方向）と−Ｘ方向（矢印の方向とは反対の方向）を含む方向である。Ｙ軸方向は、＋Ｙ方向（矢印の方向）と−Ｙ方向（矢印の方向とは反対の方向）を含む方向である。Ｚ軸方向は、＋Ｚ方向（矢印の方向）と−Ｚ方向（矢印の方向とは反対の方向）を含む方向である。
【００１１】
図１は、本実施形態に係る装着テープ２の＋Ｚ位置から見た平面図である。図２は、装着テープ２の−Ｚ位置から見た平面図である。図３は、図１に示す装着テープ２のＡ−Ａ断面図である。図４は、患者の手指Ｆ（生体組織）に巻き付けられた装着テープ２を示す図である。図３に示すように、装着テープ２は、光を出射するように構成された発光部３０と、発光部３０からの出射された光を受光するように構成された受光部４０とをそれぞれ搭載するように構成されている。なお、発光部３０と受光部４０の配置は入れ替わってもよい。装着テープ２に発光部３０と受光部４０が搭載されることでパルスフォトメトリ用プローブ１（以下、単にプローブ１という。）が構成される。つまり、プローブ１は、発光部３０と、受光部４０と、装着テープ２を備える。プローブ１は、例えば、患者の手指等の生体組織に巻き付けられることで動脈血酸素飽和度（ＳｐＯ２）を測定可能なパルスオキシメータプローブ（使い捨てタイプ）等である。装着テープ２は、図４に示すように、患者の手指Ｆに巻き付けられることで、手指Ｆに装着されるように構成されている。
【００１２】
発光部３０は、サブマウント基板と、２つの発光素子と、２つの発光素子を覆うレンズとを備えてもよい。２つの発光素子は、Ｘ軸方向に並列した状態でサブマウント基板に搭載されてもよい。発光素子は、例えば、ＬＥＤ（Ｌｉｇｈｔ  Ｅｍｉｔｔｉｎｇ  Ｄｉｏｄｅ）である。例えば、プローブ１がパルスオキシメータプローブである場合、２つの発光素子のうち一方は、赤色光を発光する赤色光ＬＥＤとなる一方、２つの発光素子のうち他方は、赤外光を発光する赤外光ＬＥＤとなる。発光素子の数は特に限定されず、１または３以上でもよい。また、発光素子の発光波長も特に限定されない。
【００１３】
受光部４０は、発光部３０の発光素子から出射されると共に、手指Ｆを透過又は反射した光を受光するように構成される。受光部４０は、例えば、ＰＤ（Ｐｈｏｔｏｄｉｏｄｅ）等の受光素子を備える。受光素子の数は特に限定されない。例えば、プローブ１がパルスオキシメータプローブである場合、１つの受光素子が赤色光ＬＥＤから出射された赤色光を受光すると共に、赤外光ＬＥＤから出射された赤外光を受光してもよい。
【００１４】
手指Ｆの血管内を流れる血液中に含まれる酸化ヘモグロビンは、赤外光に対する光吸収量が大きい一方、血液中に含まれる還元ヘモグロビンは、赤色光に対する光吸収量が大きい。このため、発光部３０から出射されて、手指Ｆ（特に、手指Ｆの血管）を透過した赤外光と赤色光の光量の変化を受光部４０によって検出することで、ＳｐＯ２を測定することができる。
【００１５】
装着テープ２は、両面テープ層３と、面ファスナー層４と、スポンジ層５と、外装テープ層６と、面ファスナー層７と、粘着層８と、滑り止め層９と、両面テープ層３２，４２とを備える。両面テープ層３は、接着剤が塗布されると共に、互いに反対側に位置する面３Ａ，３Ｂと、両面テープ層３の面３Ａから面３Ｂに延びる貫通穴３ａ，３ｂとを有する。面ファスナー層４は、複数のループ材によって構成されており、両面テープ層３の面３Ａ上に配置されている。面ファスナー層４は、貫通穴３ａと連通する貫通穴４ａと、貫通穴３ｂと連通する貫通穴４ｂを有する。平面視において、貫通穴３ａの面積は貫通穴４ａの面積と一致すると共に、貫通穴３ｂの面積は貫通穴４ｂの面積と一致してもよい。貫通穴３ａと貫通穴４ａによって発光部３０が収容される収容空間Ｓ１が規定される。また、貫通穴３ｂと貫通穴４ｂによって受光部４０が収容される収容空間Ｓ２が規定される。面ファスナー層４の表面４Ａは、装着テープ２の第一面２３（特に、図１を参照）の一部を構成する。
【００１６】
スポンジ層５は、両面テープ層３の面３Ｂに配置されている。スポンジ層５は、通気性を有する柔軟な材料によって構成されている。例えば、スポンジ層５は、ウレタン、ポリエチレン、シリコン、メラミン、アクリル、エチレン-酢酸ビニル共重合樹脂（EVA : Ethylene-Vinyl Acetate）、ゴムスポンジ、ポリオレフィン、エラストマー、ポリアミド、ポリエステル、ポリナイロン、ポリスチレン等により構成されてもよい。また、外装テープ層６と面ファスナー層７は、両面テープ層３の面３Ｂに配置されている。面ファスナー層７は、複数のフック材によって構成されている。装着テープ２が手指Ｆに巻き付けられた状態で、面ファスナー層７の複数のフック材の各々が、面ファスナー層４の複数のループ材の一つに係合することで、面ファスナー層７が面ファスナー層４に固定される。
【００１７】
粘着層８は、スポンジ層５上に配置される。装着テープ２を手指Ｆに巻き付けた状態で、粘着層８の表面８Ａは手指Ｆに直接接触する。粘着層８によって装着テープ２を手指Ｆに確実に巻き付けることが可能となる（換言すれば、装着テープ２が手指Ｆから抜けてしまうといった状況を好適に防ぐことが可能となる。）。装着テープ２を手指Ｆに巻き付けた状態で粘着層８が手指Ｆの外周を覆うことができる程度にＹ軸方向における粘着層８の寸法（長さ寸法）とスポンジ層５の長さ寸法が設定されている。装着テープ２にスポンジ層５を設けることで、装着テープ２の通気性を確保することができると共に、装着テープ２に巻き付けられた手指Ｆに与えられる負荷（締付力）を緩和することが可能となる。粘着層８の表面８Ａと、外装テープ層６の表面６Ａと、面ファスナー層７の表面７Ａのそれぞれは、装着テープ２の第二面２４（特に、図２を参照）の一部を構成する。装着テープ２の第二面２４は、装着テープ２の第一面２３とは反対側に位置し、第二面２４の一部である粘着層８の表面８Ａは手指Ｆに接触する。
【００１８】
滑り止め層９は、スポンジ層５上に配置されており、装着テープ２が手指Ｆに巻き付けられた状態で粘着層８に接触する平滑面９Ａを有する。平滑面９Ａは、装着テープ２の第一面２３の一部を構成する。滑り止め層９の平滑面９Ａと粘着層８の表面８Ａとの間の静止摩擦係数は、面ファスナー層４の表面４Ａと粘着層８の表面８Ａとの間の静止摩擦係数よりも大きい。このように、滑り止め層９によって、粘着層８の表面８Ａ（装着テープ２の第二面２４の一部）と面ファスナー層４（装着テープ２の第一面２３の一部）との間の滑りを好適に抑制することが可能となる。
【００１９】
両面テープ層３２は、スポンジ層５の第１凹部（図示せず）に設けられている。発光部３０は、収容空間Ｓ１中に配置された状態で、両面テープ層３２に貼り付けられる。両面テープ層３２は、発光部３０から出射された光を通過させる開口部３３を有する。両面テープ層４２は、スポンジ層５の第２凹部（図示せず）に設けられている。受光部４０は、収容空間Ｓ２中に配置された状態で、両面テープ層４２に貼り付けられる。両面テープ層４２は、受光部４０に入射する光を通過させる開口部４３を有する。
【００２０】
次に、装着テープ２の平面視外形について図１を参照して説明する。図１に示すように、装着テープ２の長手方向（Ｙ軸方向）における位置Ｙ１から装着テープ２の先端２２の位置Ｙ２（先端位置）に向けて装着テープ２のＸ軸方向における寸法（幅寸法Ｗ）が徐々に小さくなっている。ここで、位置Ｙ１は、受光部４０が収容される貫通穴４ｂの付近でもよいし、Ｙ軸方向における装着テープ２の基端２５と先端２２の間の任意の位置であってもよい。例えば、装着テープ２の幅寸法Ｗは、基端２５から先端２２に向けて徐々に小さくなってもよい。
【００２１】
本実施形態によれば、装着テープ２の幅寸法Ｗが装着テープ２のＹ軸方向における位置Ｙ１から先端位置Ｙ２に向けて徐々に小さくなる。このため、装着テープ２が手指Ｆに巻き付けられた状態で、装着テープ２の第１端面２０が装着テープ２のＸ軸方向において揃うことが防止される（図４参照）。同様に、装着テープ２の第２端面２１が装着テープ２のＸ軸方向において揃うことが防止される。換言すれば、図４に示すように、装着テープ２が手指Ｆに巻かれた状態で、装着テープ２に段差部Ｓｔ１，Ｓｔ２が形成される。例えば、装着テープ２の第１端面２０と患者の手足などの所定の物体が接触した場合でも、所定の物体と接触する装着テープ２の第１端面２０の接触面積を小さくすることができるため、手指Ｆに巻き付けられた装着テープ２が手指Ｆから脱落することが防止される。このように、手指Ｆに確実に巻き付けられる装着テープ２を提供することができる。
【００２２】
また、図１及び図４に示すように、装着テープ２の第一面２３（面ファスナー層４の表面４Ａ）に誘導マークＭ１，Ｍ２が設けられている。誘導マークＭ１，Ｍ２は、装着テープ２のＹ軸方向に直交するＸ軸方向（幅方向）における中心位置及びその近傍に装着テープ２の先端２２を誘導するように構成されている。誘導マークＭ２の形状は、三角形であってもよい。また、Ｙ軸方向における誘導マークＭ２の位置は、先端位置Ｙ２の付近となると共に、Ｘ軸方向における誘導マークＭ２の位置は、Ｘ軸方向における装着テープ２の中心位置又はその付近となる。誘導マークＭ１の形状は、所定の長さと幅を有する線分であってもよい。Ｙ軸方向における誘導マークＭ１の位置は、装着テープ２が手指Ｆに巻き付けられた状態で先端２２が固定されると予期される位置又はその付近となると共に、Ｘ軸方向における誘導マークＭ１の位置は、Ｘ軸方向における装着テープ２の中心位置又はその付近となる。誘導マークＭ１，Ｍ２の形状は、特に限定されるものではない。例えば、誘導マークＭ１の形状は、所定の図形であってもよい。また、本実施形態では、２つの誘導マークＭ１，Ｍ２が設けられているが、誘導マークＭ１のみが装着テープ２の第一面２３に設けられてもよい。この場合でも、装着テープ２の先端２２を装着テープ２のＸ軸方向の中心位置に誘導させることができる。
【００２３】
本実施形態によれば、患者又は医療従事者は、誘導マークＭ１，Ｍ２により、装着テープ２の先端２２が装着テープ２のＸ軸方向の中心位置又はその近傍に位置するように装着テープ２を患者の手指Ｆに巻き付けるように促される。したがって、先端２２が装着テープ２の第１端面２０又は第２端面２１から外部に向けて突出した状態で、患者の身体の一部を傷つけてしまうといった状況を回避することができる。
【００２４】
次に、変形例に係る装着テープ２Ａについて図５を参照して説明する。図５は、装着テープ２Ａの−Ｚ位置から見た平面図である。図５に示すように、装着テープ２Ａは、粘着層８の代わりに粘着層８０が設けられている点で装着テープ２とは相違する。粘着層８０は、Ｙ軸方向において並列された複数の開口部８０ａ（露出部）を有し、複数の開口部８０ａの各々からスポンジ層５が露出している。このように、粘着層８０は、複数の開口部８０ａを有するので、装着テープ２の通気性を確保することができると共に、粘着層８０によって装着テープ２を手指Ｆに確実に巻き付けることが可能となる。したがって、装着テープ２の通気性及び装着性を向上させることができる。
【００２５】
以上、本発明の実施形態について説明をしたが、本発明の技術的範囲が本実施形態の説明によって限定的に解釈されるべきではない。本実施形態は一例であって、特許請求の範囲に記載された発明の範囲内において、様々な実施形態の変更が可能であることが当業者によって理解されるところである。本発明の技術的範囲は特許請求の範囲に記載された発明の範囲及びその均等の範囲に基づいて定められるべきである。
【符号の説明】
【００２６】
１：パルスフォトメトリ用プローブ（プローブ）
２，２Ａ：装着テープ
３：両面テープ層
３ａ，３ｂ：貫通穴
４：面ファスナー層
４ａ，４ｂ：貫通穴
５：スポンジ層
６：外装テープ層
７：面ファスナー層
８：粘着層
９：滑り止め層
９Ａ：平滑面
２２：先端
２５：基端
３０：発光部
３２，４２：両面テープ層
３３：開口部
４０：受光部
４３：開口部
８０：粘着層
８０ａ：開口部（露出部）
【図１】
2018102699.tif 000003
【図２】
2018102699.tif 000004
【図３】
2018102699.tif 000005
【図４】
2018102699.tif 000006
【図５】
2018102699.tif 000007